(57)【要約】【課題】  工場や発電所などの施設での巡視点検において、コンピュータにより保守点検員の経験や技術的なスキルに依存することなく、点検項目ごとの異常／正常を素早く判断し、故障発生などの問題を事前に防止することができる巡視点検支援方法を提供する。【解決手段】  プログラムされたコンピュータにより、多数の点検項目を一覧にした所定のデータ形式の巡視記録簿において、各点検項目に正常稼働データを対応付けして記録するステップと、各点検項目についての実測点検データの入力を受けて前記巡視記録簿に追記するステップと、点検項目ごとに正常稼働データと実測点検データとを比較し、正常／異常を判定するステップと、異常と判定された点検項目を識別して管理するステップと、各点検項目について、異常／正常を区別可能にして巡視記録簿を適宜に出力するステップとを含んだ巡視点検支援方法としている。【選択図】    図１
2005190196.tif 000002
【特許請求の範囲】
【請求項１】
プログラムされたコンピュータにより、
多数の点検項目を一覧にした所定のデータ形式の巡視記録簿において、各点検項目に正常稼働データを対応付けして記録する巡視記録簿作成ステップと、
各点検項目についての実測点検データの入力を受けて前記巡視記録簿に追記する実測データ記録ステップと、
点検項目ごとに正常稼働データと実測点検データとを比較し、正常／異常を判定する異常判定ステップと、
異常と判定された点検項目を識別して管理する異常箇所識別ステップと、
各点検項目について、異常／正常を区別可能にして巡視記録簿を適宜に出力する点検結果出力ステップと、
とを含むことを特徴とする巡視点検支援方法。
【請求項２】
請求項１において、前記巡視記録簿作成ステップでは、施設内に点在する多数の点検箇所の配置図データとともに、各箇所のおける点検項目と正常稼働データとを対応付けして記録し、前記実測データ記録ステップでは、点検箇所の配置図を画像出力するとともに、当該配置図上で点検箇所が指示されると、当該箇所における点検項目に関する実測点検データの入力を受け付け、前記点検結果出力ステップでは、前記配置図上に各点検箇所の点検項目について異常／正常を区別可能にして表示することを特徴とする巡視点検支援方法。
【請求項３】
請求項１または２において、前記巡視記録簿作成ステップでは、所定の点検項目について、点検対象となる装置や設備についての画像生成データを対応付けして記憶し、前記実測データ記憶ステップでは、画像生成データが対応する点検項目についてはその生成データに基づく画像を表示した上で前記実測点検データの入力を受け付け、前記点検結果出力ステップでは、画像生成データが対応する点検項目についてはその生成データに基づく画像とともに異常／正常を区別可能にして表示することを特徴とする巡視点検支援方法。
【請求項４】
請求項１〜３のいずれかにおいて、ある実測点検データの入力機会に異常と判断された所定の点検項目については、当該入力機会以後、所定回数分の入力機会分の実測点検データを蓄積保存するとともに、当該点検項目についての実測点検データの推移を適時に提示出力するステップとを含むことを特徴とする巡視点検支援方法。
【請求項５】
プログラムされたコンピュータにより構成され、多数の点検項目を一覧にした所定のデータ形式の巡視記録簿において、各点検項目に正常稼働データを対応付けして記録する手段と、各点検項目についての実測点検データの入力を受けて前記巡視記録簿に追記する手段と、点検項目ごとに正常稼働データと実測点検データとを比較し、正常／異常を判定する手段と、異常と判定された点検項目を識別して管理する手段と、各点検項目について、異常／正常を区別可能にして巡視記録簿を適宜に出力する手段とを備えたことを特徴とする巡視点検支援装置。
【発明の詳細な説明】
【技術分野】
【０００１】
この発明は、工場や発電所などの施設における巡視点検をコンピュータにより支援する巡視点検支援方法に関する。またそのコンピュータにより構成される巡視点検支援装置にも関する。
【背景技術】
【０００２】
工場や発電所施設には多数の装置があり、保守点検員は、施設を巡視してこれらの装置を日々点検している。巡視点検の方法としては、点検項目が膨大で多岐にわたるため、保守点検員が点検項目を一覧にしたシート（巡視記録簿）を持ち歩いて巡視し、点検項目ごとにその点検時のデータを記入するという方法を採用している。
【０００３】
具体的には、電圧・電流・圧力・温度など、装置には稼働状況を指示する各種メータが付帯しており、そのメータ指示値（実測点検データ）を読み取り、その実測点検データを一覧中の該当点検項目の欄に記入する。
【０００４】
また、各点検項目における実測点検データには正常値があり、項目によっては実測点検データがその正常値の範囲内にある場合、あるいはその範囲を外れている場合に限って実測点検データを書き込むようにしている。そして、巡視点検後にデータ記入済みのシートを見て、記入した実測点検データが正常値から外れている項目があれば、何らかの異常があるとしてその後の修理や再点検などの業務へ移行する。
【発明の開示】
【発明が解決しようとする課題】
【０００５】
上述した巡視点検方法では、経験の浅い保守点検員が点検した場合、実測点検データを見ただけでは装置がどのような稼働状況にあるのかを十分に把握できず、点検した時点で装置が異常であるのか正常であるのかを判断することができない。そのため、故障の前兆などを示す異常状態の認識が遅れ、故障を未然に防ぐことができない可能性があった。
【課題を解決するための手段】
【０００６】
上記課題を解決するために本発明を創作した。本発明は、工場や発電所などの施設での巡視点検において、コンピュータにより保守点検員の経験や技術的なスキルに依存することなく、点検項目ごとの異常／正常を素早く判断し、故障発生などの問題を事前に防止することができる巡視点検支援方法と、その方法を実施するコンピュータにより構成される巡視点検支援装置を提供することを目的としている。
【０００７】
基本となる本発明は、プログラムされたコンピュータにより、多数の点検項目を一覧にした所定のデータ形式の巡視記録簿において、各点検項目に正常稼働データを対応付けして記録する巡視記録簿作成ステップと、各点検項目についての実測点検データの入力を受けて前記巡視記録簿に追記する実測データ記録ステップと、点検項目ごとに正常稼働データと実測点検データとを比較し、正常／異常を判定する異常判定ステップと、異常と判定された点検項目を識別して管理する異常箇所識別ステップと、各点検項目について、異常／正常を区別可能にして巡視記録簿を適宜に出力する点検結果出力ステップとを含んだ巡視点検支援方法としている。
【０００８】
また、前記巡視記録簿作成ステップでは、施設内に点在する多数の点検箇所の配置図データとともに、各箇所のおける点検項目と正常稼働データとを対応付けして記録し、前記実測データ記録ステップでは、点検箇所の配置図を画像出力するとともに、当該配置図上で点検箇所が指示されると、当該箇所における点検項目に関する実測点検データの入力を受け付け、前記点検結果出力ステップでは、前記配置図上に各点検箇所の点検項目について異常／正常を区別可能にして表示する巡視点検支援方法としてもよい。
【０００９】
前記巡視記録簿作成ステップでは、所定の点検項目について、点検対象となる装置や設備についての画像生成データを対応付けして記憶し、前記実測データ記憶ステップでは、画像生成データが対応する点検項目についてはその生成データに基づく画像を表示した上で前記実測点検データの入力を受け付け、前記点検結果出力ステップでは、画像生成データが対応する点検項目についてはその生成データに基づく画像とともに異常／正常を区別可能にして表示することもできる。
【００１０】
ある実測点検データの入力機会に異常と判断された所定の点検項目については、当該入力機会以後、所定回数分の入力機会分の実測点検データを蓄積保存するとともに、当該点検項目についての実測点検データの推移を適時に提示出力するステップとを含む巡視点検支援方法としてもよい。
【００１１】
プログラムされたコンピュータにより構成されて、上記巡視点検支援方法を実施する巡視点検支援装置も本発明の範囲であり、多数の点検項目を一覧にした所定のデータ形式の巡視記録簿において、各点検項目に正常稼働データを対応付けして記録する手段と、各点検項目についての実測点検データの入力を受けて前記巡視記録簿に追記する手段と、点検項目ごとに正常稼働データと実測点検データとを比較し、正常／異常を判定する手段と、異常と判定された点検項目を識別して管理する手段と、各点検項目について、異常／正常を区別可能にして巡視記録簿を適宜に出力する手段とを備えている。
【発明の効果】
【００１２】
本発明の巡視点検支援方法に寄れば、点検項目ごとに正常稼働データと実測データ記憶とを比較して正常／異常を判定し、異常と判定された項目を識別して管理することで、保守点検員の経験や技術的なスキルに依存することなく、点検項目ごとの異常／正常を素早く判断し、故障発生などの問題を事前に防止することができる。
【発明を実施するための最良の形態】
【００１３】
図１に本発明の実施例における巡視点検方法に基いて実測点検データを記入するための巡視記録簿の概略を示した。実施例１の巡視記録簿１は、周知の表計算プログラムを用いて作成されたシートであり、このシートデータを表計算プログラムがインストールされたノートブック型コンピュータやＰＤＡなどの携帯型のコンピュータ（以下、巡視点検支援装置）の外部記憶に格納しておく。図２に本実施例における巡視点検支援装置の外観を示した。この例では、ＰＤＡを巡視点検装置として使用している。
【００１４】
巡視記録簿１は、施設に設置されている巡視対象の装置２について、各種点検項目３が対応付けされているとともに、各点検項目３について正常時に検出されるべき実測点検データの許容範囲（正常稼働データ）４があらかじめ記入されている。
【００１５】
また、実際に点検時に保守点検員が確認した実測点検データを記入する欄５が点検項目ごとに用意されている。なおこの例では、点検項目ごとに許容できる限界値（設定値）６も対応付けされている。正常稼働データはその設定値より許容範囲が狭くなるように規定され、故障や事故の発生を可能な限り防止できるようになっている。
【００１６】
保守点検員は、巡視点検支援装置を携えて施設内の各装置を巡視し、各点検項目について、その実測点検データを該当する欄に入力する。各点検項目における実測点検データ入力欄には、あらかじめ表計算プログラムの表計算機能により、正常稼働データと、入力された実測点検データとを比較し、入力値が正常範囲にない場合にはその入力時点で、例えばその入力欄や入力文字に色を付けるなどして異常である旨を識別して表示する。
【００１７】
それによって、点検時点で異常の有無を認知することができる。もちろん、巡視が終わった時点で、全点検項目についての実測点検データを出力し、その出力時点で、異常と判断された項目を識別可能にして出力するようにしてもよい。なお、実測点検データの出力については、ディスプレイに表示してもよいし巡視点検支援装置に接続されたプリンタにより印刷出力するなど適宜に出力すればよい。
【００１８】
施設内の装置配置とともに点検項目が確認できるようにすることも考えられる。例えば、施設内の装置配置図上に点検箇所を表示するとともに、上記表計算プログラムと連携するプログラムをインストールしておく。そしてこのプログラムが、装置配置図の表示中に点検箇所の指示入力を受け付けると、その箇所における点検項目に対する実測点検データの入力を受け付けるようにしておく。指定された点検項目についての実測点検データを入力すると、表計算シートにおける該当欄にそのデータが入力されるとともに、そのデータに対する異常／正常の判定を配置図上の点検箇所に区別して表示する。
【００１９】
それによって、異常のある点検項目についてその場所も認知することができ、施設内の装置配置に不慣れであっても、速やかに異常のあった点検箇所を特定することができる。また、配置図に限らず、装置や点検対象となるメータなどの画像データを点検項目に対応付けしてき、点検項目の指示入力を受け付けると、その画像を表示するようにしてもよい。それによって、複数の装置が近接配置されていてもその画像によって点検すべき装置を特定することができる。
【００２０】
図３（Ａ）〜（Ｃ）に配置図と装置の画像をともに表示する巡視点検支援装置における画面遷移図を示した。この例では、装置配置図１０に点検対象となる装置１１と、各装置１１における点検箇所１２とが示されるとともに、点検済みの点検箇所１２ａが色分けされて区別できるようになっている。
【００２１】
未点検の点検項目に対応する点検箇所１２ｂをペンタッチするなどして指定すると、その点検項目についての情報２１と、その項目に対応する装置の画像２２と、実測点検データの記入欄２３と、その記入データを先の点検記録簿データに追記指示するための入力ボタン２５を含んだ画面が別ウインドウ２０で表示される。
【００２２】
一つの装置に複数の点検箇所がある場合には、点検すべき箇所が分かるように矢印２４で示されている。保守点検員は、このウインドウ２０中にある画像２２と点検箇所２４とを確認し、その箇所にあるメータ値を読み取るなどして実測点検データを所定欄２３に記入し、入力ボタン２５を指示して実測点検データを入力する。
【００２３】
巡視点検支援装置はこのデータ入力を受け付けると先の配置図１０を再表示する。このとき点検した箇所が点検済み表示１２ａに変わる。また、入力した実測点検データが正常稼働データの範囲内に無いときには、その点検箇所１２を点検済み表示とは異なる色で着色するなどして正常な点検済み箇所１２ａと区別できるようにしている。
【００２４】
なお、ある点検機会に異常と判断された点検項目については、その後の所定回数に渡る点検機会において入力される実測点検データを蓄積しておき、適時にそのデータの推移を提示できるようにしておいてもよい。それによって、修理対象とならない異常であれば、その推移を観察し、故障直前の時点を把握するいこともできる。それによって、必要最小限の修理によって原状回復することができる。もちろん、推移の経過を観察することで、突発的・偶発的に異常が検出されたのか、あるいは、故障の前兆であるのかを判断することもできる。
【図面の簡単な説明】
【００２５】
【図１】本発明の実施例における巡視点検方法に採用される巡視記録簿の概略図である。
【図２】本実施例における巡視点検支援装置の外観を示す図である。
【図３】本発明の実施例の巡視点検支援装置における画面遷移図（Ａ）〜（Ｃ）である。
【符号の説明】
【００２６】
１      巡視記録簿
２      巡視対象の装置
３      点検項目
４      実測点検データの許容範囲（正常稼働データ）
５      実測点検データを記入する欄
６      点検項目ごとに許容できる限界値（設定値）
１０    装置配置図
１１    点検対象となる装置
１２    点検箇所
１２ａ  点検済みの点検箇所
１２ｂ  未点検の点検項目に対応する点検箇所
２１    点検項目についての情報
【図１】
2005190196.tif 000003
【図２】
2005190196.tif 000004
【図３】
2005190196.tif 000005